(57)【要約】【課題】２つのケース部材からなる電子機器ケースにおいて、ケースの見栄えを損なうことなく、電子機器の点検・修理の際にケースを簡単に開くことができるようにする。【解決手段】ケースを２分割する第１ケース部材１０と第２ケース部材２０とからなる電子機器ケースにおいて、第２ケース部材２０が第１ケース部材１０の開口部を覆う閉塞位置にあるときに、各ケース部材１０、２０において互いに対向する壁面には、それぞれ、互いに係合して各ケース部材１０、２０同士を連結する一対の係合部１６、２６が突設される。また、各ケース部材１０、２０の壁面には、支柱１８及び被固定部２８がそれぞれ突設されており、ケース部材同士の固定は支柱１８にネジ５０を挿入して被固定部２８のネジ孔と螺合することにより行うようになっている。この結果、ケースを開く作業は、ネジ５０を外して、ケースをスライドさせることで、簡単に行うことができる。【選択図】図４
2008091479.tif 000002
【特許請求の範囲】
【請求項１】
電子機器を構成する各種電子部品をケース内に収納するための開口部を有する第１ケース部材と、該第１ケース部材の開口部を覆い、ケース内に収納された電子部品を保護する第２ケース部材と、を備えた電子機器ケースであって、
前記第２ケース部材が前記開口部を覆う閉塞位置にあるとき前記各ケース部材において互いに対向する壁面には、それぞれ、前記第２ケース部材が前記閉塞位置にあるときに互いに係合して前記ケース部材同士を連結する一対の係合部が突設されており、
前記各ケース部材の壁面において、前記係合部の突設位置から離れた位置には、固定部材を挿入するための挿入孔、及び、前記第２ケース部が前記閉塞位置にあるときに前記挿入孔に挿入された固定部材を接続可能な被固定部、がそれぞれ形成されており、
しかも、前記係合部の一方には、当該係合部の前記壁面からの突出方向と直交する方向に穿設された係止孔が設けられ、他方の係合部には、前記第２ケース部材が前記閉塞位置にあるときに前記係止孔に挿入されて、前記ケース部材同士を連結する係止突起が設けられていることを特徴とする電子機器ケース。
【請求項２】
前記一対の係合部は、前記係止孔に対する前記係止突起の挿入方向が同一方向となるよう、前記各ケース部材の壁面にそれぞれ複数設けられていることを特徴とする請求項１に記載の電子機器ケース。
【請求項３】
請求項１又は請求項２に記載の電子機器ケースに、電子機器を構成する各種電子部品を収納してなることを特徴とする電子機器。
【発明の詳細な説明】
【技術分野】
【０００１】
本発明は、電子機器を構成する各種電子部品を収納する電子機器ケース及びこのケースを備えた電子機器に関する。
【背景技術】
【０００２】
プリント配線基板等、電子機器を構成する各種電子部品を収納する電子機器ケースは、通常、電子部品を収納するための開口部を有する第１ケース部材と、この第１ケース部材の開口部を覆って内部の電子部品を保護する第２ケース部材との２つのケース部材にて構成されている。そして、電子機器ケースに電子部品を収納して電子機器を構成する際、２つのケース部材は、内部の電子部品を保護し、また使用者の安全性を確保するために、互いにしっかりと固定される。
【０００３】
そして、従来、このケース部材同士の固定をワンタッチで行うことができるようにするために、第１ケース部材の周壁の複数箇所に係止孔を穿設し、第２ケース部材には、第１ケース部材の開口部を覆った際にこれら各係止孔に挿入されてケース部材同士を結合する複数の係止片を突設した電子機器ケースが知られている（例えば、特許文献１等参照）。
【特許文献１】特開２０００−１６５０５６号公報
【発明の開示】
【発明が解決しようとする課題】
【０００４】
上記従来の電子機器ケースは、第１ケース部材と第２ケース部材とを結合してケース内部を密閉する際には、ねじ等の固定部材を使用せず、工具も必要としないので、電子機器の組立作業を極めて簡単に行うことができるが、電子機器の点検・修理のために、ケースを開く際には、第１ケース部材の周壁に設けられた各係止孔から係止片を抜き出す必要があり、その作業が面倒になるという問題があった。
【０００５】
また、この種の電子機器ケースでは、係止孔が外から見えると、見栄えが悪いことから、見栄えをよくするために、第１ケース部材に形成された係止孔を第２ケース部材で覆うようにしたものも知られているが、このようにすると、ケースを開くのがより難しくなり、電子機器の点検・修理の際にケースに傷を付けてしまうことがあった。
【０００６】
本発明は、こうした問題に鑑みなされたものであり、２つのケース部材からなる電子機器ケースにおいて、ケースの見栄えを損なうことなく、電子機器の点検・修理の際にケースを簡単に開くことができるようにすることを目的とする。
【課題を解決するための手段】
【０００７】
かかる目的を達成するためになされた請求項１に記載の発明は、
電子機器を構成する各種電子部品をケース内に収納するための開口部を有する第１ケース部材と、該第１ケース部材の開口部を覆い、ケース内に収納された電子部品を保護する第２ケース部材と、を備えた電子機器ケースであって、
前記第２ケース部材が前記開口部を覆う閉塞位置にあるとき前記各ケース部材において互いに対向する壁面には、それぞれ、前記第２ケース部材が前記閉塞位置にあるときに互いに係合して前記ケース部材同士を連結する一対の係合部が突設されており、
前記各ケース部材の壁面において、前記係合部の突設位置から離れた位置には、固定部材を挿入するための挿入孔、及び、前記第２ケース部が前記閉塞位置にあるときに前記挿入孔に挿入された固定部材を接続可能な被固定部、がそれぞれ形成されており、
しかも、前記係合部の一方には、当該係合部の前記壁面からの突出方向と直交する方向に穿設された係止孔が設けられ、他方の係合部には、前記第２ケース部材が前記閉塞位置にあるときに前記係止孔に挿入されて、前記ケース部材同士を連結する係止突起が設けられていることを特徴とする。
【０００８】
また、請求項２に記載の発明は、請求項１に記載の電子機器ケースにおいて、前記一対の係合部は、前記係止孔に対する前記係止突起の挿入方向が同一方向となるよう、前記各ケース部材の壁面にそれぞれ複数設けられていることを特徴とする。
【０００９】
また、請求項３に記載の発明は、電子機器に関するものであり、請求項１又は請求項２に記載の電子機器ケースに、電子機器を構成する各種電子部品を収納したことを特徴とする。
【発明の効果】
【００１０】
請求項１に記載の電子機器ケースにおいては、第２ケース部材が第１ケース部材の開口部を覆う閉塞位置にあるときに各ケース部材において互いに対向する壁面に、それぞれ、第２ケース部が閉塞位置にあるときに互いに係合してケース部材同士を連結する一対の係合部が突設されているため、第１ケース部材に電子部品を収納して、その開口部を第２ケース部材で覆えば、２つのケース部材同士を連結することができる。
【００１１】
また、各ケース部材の壁面において、係合部の突設位置から離れた位置には、固定部材を挿入するための挿入孔、及び、第２ケース部が閉塞位置にあるときにこの挿入孔に挿入された固定部材を接続可能な被固定部がそれぞれ形成されているため、第１ケース部材に電子部品を収納して、その開口部を第２ケース部材で覆った際には、挿入孔から固定部材を挿入して被固定部に接続することで、２つのケース部材同士をしっかりと固定することができる。
【００１２】
また、各ケース部材の壁面に突設される一対の係合部の一方には、ケース部材の壁面からの突出方向と直交する方向に穿設された係止孔が設けられており、他方の係合部には、第２ケース部材が閉塞位置にあるときにこの係止孔に挿入される係止突起が設けられている。
【００１３】
このため、本発明の電子機器ケースにおいて、２つのケース部材同士を固定部材によりしっかりと固定した状態で、内部の電子部品の点検・修理等のために、ケースを開く際には、被固定部から固定部材を外し、一方の係合部に突設された係止突起が係止孔から外れるように、第１ケース部材に対して第２ケース部材を一方向にスライドさせればよい。
【００１４】
従って、本発明の電子機器ケースは、２つのケース部材同士の結合には、ネジ等の固定部材を使用することになるが、その固定部材は一つでよく、しかも、ケースを開く際には、固定部材を外してケース部材同士を相対的に一方向にスライドさせればよいため、上述した従来ケースに比べて、ケースを開く際の作業が極めて簡単になる。
【００１５】
また、ケース部材同士の結合は、従来ケースのようにワンタッチで行うことはできないものの、固定部材１個でケース部材同士を簡単に結合できることから、固定部材として複数個のネジを使用する場合に比べて、電子機器の組み立てに要する時間を充分短縮することができる。
【００１６】
なお、上記一対の係合部は、各ケース部材において互いに対向する壁面の１箇所だけに設けてもよいが、ケース部材同士をより確実に連結するには、各ケース部材の壁面にそれぞれ複数設けることが望ましい。
【００１７】
そして、この場合、ケースを開く作業を簡単に行うことができるようにするためには、請求項２に記載のように、各係合部において、係止孔に対する係止突起の挿入方向が同一方向となるようにすればよい。つまり、このようにすれば、ケースを開く際に、ケース部材同士を相対的に一方向にスライドさせればよく、その作業を簡単に行うことができる。
【００１８】
次に、請求項３に記載の電子機器においては、当該電子機器を構成する電子部品を収納するケースに、本発明の電子機器ケースが使用されることから、ケースを容易に開くことができ、点検・修理の際の作業性を向上することができる。
【発明を実施するための最良の形態】
【００１９】
以下に、本発明の一実施形態を図面と共に説明する。
図１は本発明が適用された実施形態の電子機器の外観図であり、図２はその電子機器の内部を表す平面図であり、図３は電子機器のケースを表す斜視図である。
【００２０】
本実施形態の電子機器２は、テレビ放送の受信信号を増幅するブースタに、受信信号の伝送路（同軸ケーブル）を介して電源供給を行うための電源装置であり、外観が略対称となるように合成樹脂にて形成された一対のケース部材１０、２０と、この２つのケース部材１０、２０にて構成される電子機器ケース内に収納される回路基板３０とから構成されている。
【００２１】
図１、図３から明らかなように、ケース部材１０、２０は、丸みをおびた扁平な箱状体を、開口部が最も広くなるようにその中心部分で二つに分割した形状を有し、その開口部同士を重ねることで、箱状のケース（電子機器ケース）を形成している。
【００２２】
なお、ケース部材１０、２０をこのように形成しているのは、図１に示すように、支持台４を利用して、電子機器２を縦置きに配置した際の見栄えをよくするためである。但し、本実施形態の電子機器２は横置きにしても使用することができる。
【００２３】
次に、回路基板３０は、一対のケース部材１０、２０の一方、具体的には、図１において向かって左側の第１ケース部材１０に、基板固定用の係止爪１２を介して積み付けられており、他方のケース部材（第２ケース部材）２０は、第１ケース部材１０に回路基板や給電用の電源線３２を装着した後、その開口部を覆うように第１ケース部材１０に固定される。
【００２４】
また、回路基板３０には、電源回路の動作を表示するパイロットランプ４０が実装されており、第２ケース部材２０の前方側壁には、このパイロットランプ４０からの光をケース外部に出射する透孔２２が形成されている。
【００２５】
また、回路基板３０には、電源回路に加えて、アンテナ側及びテレビ側の同軸ケーブルを接続するためのＦ型コネクタ３４、３６が装着された高周波モジュール３８が実装されており、この高周波モジュール３８を介して、受信信号をアンテナ側からテレビ側に伝送する。このため、各ケース部材１０、２０の後方側壁には、電源線３２やＦ型コネクタ３４、３６を挿通するための凹部１４、２４が形成されている。
【００２６】
なお、ケース部材１０、２０の後方とは、ケース部材２０において、パイロットランプ４０からの光をケース外部に出射する透孔２２が設けられた側壁とは反対側のことである。そして、以下の説明では、電子機器ケース全体でも透孔２２が設けられた側を前方、これとは反対側を後方といい、この前後方向とは直交する方向のうち、図１に示すように、電子機器２を縦置きにした際に、上部に位置する側壁側を上方、下部に位置する側壁側を下方という。
【００２７】
次に、第２ケース部材２０が第１ケース部材１０の開口部を覆う閉塞位置にあるときに、各ケース部材１０、２０において互いに対向する壁面には、それぞれ、第２ケース部材２０が閉塞位置にあるとき（つまり電子機器ケースを組み立てた際）に互いに係合して各ケース部材１０、２０同士を連結する一対の係合部１６、２６が２組突設されている。
【００２８】
この２組の係合部１６、２６のうち、第１ケース部材１０に設けられる２組の係合部１６は、第１ケース部材１０の上部側壁付近に、板面が上下方向を向くように突設された板状部材からなり、その板面には、矩形の係止孔１６ａが穿設されている。
【００２９】
また、第２ケース部材２０に設けられる２組の係合部２６には、電子機器ケースを組み立てた際に、第１ケース部材１０に設けられた２組の係合部１６の係止孔１６ａに対して、それぞれ同一方向から挿入できるように突設された係止突起２６ａが設けられている。
【００３０】
なお、本実施形態では、係止突起２６ａは、係合部１６の係止孔１６ａに対して、電子機器ケースの上方から下方に向けて挿入できるように突設されているが、この方向とは逆方向に突設されていてもよい。
【００３１】
また次に、第２ケース部材２０が第１ケース部材１０の開口部を覆う閉塞位置にあるときに、各ケース部材１０、２０において互いに対向する壁面において、上記各係合部１６、２６の突設位置から離れた位置（具体的には電子機器ケースの下方側壁近傍）には、ケース部材１０、２０毎に、固定部材としてのネジ５０（図４参照）を挿入するための挿入孔１８ａが穿設された支柱１８、及び、この支柱１８の挿入孔１８ａから挿入されたネジ５０を螺合可能なネジ孔２８ａが穿設された被固定部２８、がそれぞれ突設されている。
【００３２】
なお、本実施形態では、支柱１８は、第１ケース部材１０の壁面に突設され、被固定部２８は、第２ケース部材２０の壁面に突設されているが、これらの配置位置は逆でもよい。
【００３３】
上記のように構成された本実施形態の電子機器２（ブースタの電源装置）においては、図４（ａ）に示すように、第１ケース部材１０の開口部を覆うように、第１ケース部材１０に第２ケース部材２０を被せ、第１ケース部材１０側の係合部１６の係止孔１６ａに、第２ケース部材２０側の係合部２６の係止突起２６ａを係合させれば、各ケース部材１０、２０同士が連結される。
【００３４】
また、この状態では、第１ケース部材１０側の支柱に穿設された挿入孔１８ａと、第２ケース部材２０側の被固定部２８に穿設されたネジ孔２８ａとの位置が一致することから、挿入孔１８ａにネジ５０を挿入して、ネジ孔２８ａに螺合することで、２つのケース部材１０、２０同士をしっかりと固定することができる。
【００３５】
一方、本実施形態の電子機器２において、内部回路の点検・修理等のために、ケースを開く際には、図４（ｂ）に示すように、ネジ５０を外して、係合部２６に突設された係止突起が係合部１６に穿設された係止孔１６ａから外れるように、第１ケース部材１０と第２ケース部材２０とを一方向（図示矢印方向）にスライドさせればよい。
【００３６】
従って、本実施形態の電子機器２は、ケース部材１０、２０同士を結合するのには１本のネジ５０を使用することになるが、ケースを開く際には、このネジ５０を外してケース部材１０、２０同士を相対的に一方向にスライドさせればよいため、ケースを開く際の作業が極めて簡単になる。
【００３７】
また、ケース部材１０、２０同士の結合は、ワンタッチで行うことはできないものの、ネジ一本でケース部材１０、２０同士を簡単に結合できることから、複数のネジを使用する場合に比べて、電子機器２の組み立てに要する時間を短縮することができる。
【００３８】
また更に、本実施形態の電子機器２は、外観上は、ネジ５０を挿入するための一つの孔が見えることになるが、この孔は、支持台４を使って電子機器２を縦置きにすれば、支持台４に隠れ、電子機器２を横置きにするときには、孔を下向きにすることで隠すことができることから、電子機器２の見栄えが悪くなることはない。
【００３９】
以上、本発明の一実施形態について説明したが、本発明は上記実施形態に限定されるものではなく、本発明の要旨を逸脱しない範囲内にて種々の態様をとることができる。
例えば、上記実施形態では、ネジ５０を使ってケース部材１０、２０同士を結合するものとして説明したが、このための固定部材としては、例えば、先端が鉤状になっていて所定角度回転させることにより、被固定部材と結合可能なもの等、工具等を使って固定／解除できるものであればよい。
【図面の簡単な説明】
【００４０】
【図１】実施形態の電子機器の外観図である。
【図２】電子機器の内部を表す平面図である。
【図３】電子機器のケースを表す斜視図である。
【図４】ケースの組立／開放の手順を説明する説明図である。
【符号の説明】
【００４１】
２…電子機器、４…支持台、１０…第１ケース部材、１２…係止爪、１４…凹部、１６…係合部、１６ａ…係止孔、１８…支柱、１８ａ…挿入孔、２０…第２ケース部材、２２…透孔、２６…係合部、２６ａ…係止突起、２８…被固定部、２８ａ…ネジ孔、３０…回路基板、３２…電源線、３４…Ｆ型コネクタ、３８…高周波モジュール、４０…パイロットランプ、５０…ネジ。
【図１】
2008091479.tif 000003
【図２】
2008091479.tif 000004
【図３】
2008091479.tif 000005
【図４】
2008091479.tif 000006